(57)【特許請求の範囲】
【請求項１】
２本のパイプ材が上端部と下端部において上部連結部材および下部連結部材でもって間隔をおいて平行に結合されていると共に、上記２本のパイプ材間に、縦方向に一定間隔でもって多数の透孔が穿設された金属製のテープ材を張設、固定していることを特徴とする支柱。
【請求項２】
２本のパイプ材が上端部と下端部において上部連結部材および下部連結部材でもって間隔をおいて平行に結合されていると共に、上記２本のパイプ材間に、縦方向に一定間隔でもって多数の透孔が穿設された金属製のテープ材を張設、固定してなる少なくとも４本の支柱と、帯状のプレートでもって方形の外周枠体が形成され、この外周枠体の奥行き方向に延びる帯状プレートの両側にそれぞれ上記支柱を構成している２本のパイプ材と嵌合する２個の凹部が形成されてその凹部間に透孔またはネジ孔が設けられたパイプ材への取り付け部を備える複数の棚部材と、棚部材の取り付け部と同形の２個の凹部が形成されてその凹部間に透孔またはネジ孔が設けられた棚部材の固着用当て金および固着用ネジとからなる組み立て棚。
【発明の詳細な説明】
【０００１】
【産業上の利用分野】
本発明は組み立て棚用支柱および組み立て棚、詳しくは左右方向に順次継ぎ足すことができるユニークな組み立て棚用支柱、およびその支柱に好適な棚部材とからなる組み立て棚に関するものである。
【０００２】
【従来の技術】
組み立て棚としては従来から種々なものが知られているが、これらの組み立て棚の支柱には、例えば実開平１−５９４３１号公報にみられるように太いパイプ材や実開昭６４−４７２３０号公報記載のようにＬ型鋼材が汎用され、その４本の支柱に棚板の前後左右の各コーナー部が止着されて構成されている。
【０００３】
【発明が解決しようとする課題】
ところが上記したように、支柱として太いパイプ材やＬ型鋼材を使用し、その支柱を前後左右に配して棚板の各コーナー部を止着して構成された組み立て棚においては、数段の棚板を支柱間に強固に固定することができ、耐荷重性に優れているという長所を有しているが、棚板の止着は各支柱の内側に特定されることから各支柱の両側に棚板を装着することができず、したがって左右方向に棚面積を広げたい場合には、その側方に新たに同じ組み立て棚を設置しなければならない。
【０００４】
本発明は支柱の両側に棚板を装着可能な組み立て棚用のユニークな支柱、およびその支柱に簡単に止着することができる棚部材を備え、分解形態がコンパクトであり、組み立てが容易であって、さらに支柱の外側を利用して棚部材を順次継ぎ足して棚面積を体裁よく拡張することができる組み立て棚を提供するものである。
【０００５】
【課題を解決するための手段】
本発明は、組み立て棚用の支柱を上下において結合された２本のパイプ材でもって構成し、そのパイプ材間の部分および支柱の両面を棚部材の取り付けに利用できるようにすることによって上記課題を解決した。即ち、本発明の組み立て棚用の支柱は、２本のパイプ材が上端部と下端部において上部連結部材および下部連結部材でもって間隔をおいて平行に結合されていると共に、上記２本のパイプ材間に縦方向に一定間隔でもって多数の透孔が穿設された金属製のテープ材を張設、固定していることを特徴としているものである。
【０００６】
また、本発明の組み立て棚は、２本のパイプ材が上端部と下端部において上部連結部材および下部連結部材でもって間隔をおいて平行に結合されていると共に、上記２本のパイプ材間に、縦方向に一定間隔でもって多数の透孔が穿設された金属製のテープ材を張設、固定してなる少なくとも４本の支柱と、帯状のプレートでもって方形の外周枠体が形成され、この外周枠体の奥行き方向に延びる帯状プレートの両側にそれぞれ上記支柱を構成している２本のパイプ材と嵌合する２個の凹部が形成されてその凹部間に透孔またはネジ孔が設けられたパイプ材への取り付け部を備える複数の棚部材と、棚部材の取り付け部と同形の２個の凹部が形成されてその凹部間に透孔またはネジ孔が設けられた棚部材の固着用当て金および固着用ネジとからなることを特徴としているものである。
【０００７】
【発明の実施の形態】
図１は本発明の組み立て棚用の支柱を示している。支柱１は２本のパイプ材２，２をパイプ材２，２の中心から中心までを２〜３ｃｍ平行に間隔をあけて上端部と下端部において上部連結部材３および下部連結部材４でもって間隔を保って平行に結合されてなる。パイプ材２，２には外径が８〜１６ｍｍ程度の比較的細くて軽量な円筒パイプが好ましく適用できる。しかし図示を省略しているが一辺が８〜１６ｍｍ程度の断面が方形の角パイプを使用することもできる。そして棚部材の装着高さ位置を定めるために２本のパイプ材２，２間の平行な空間に一定の間隔でもって透孔５，５が穿設された金属製のテープ部材６が張設されている。７，７はこのテープ部材５の固定具である。この固定具７，７は本発明の実施の形態においては上記金属製のテープ部材６の張設と同時にパイプ材２，２にも固着のために使用されているが、２本のパイプ材２，２のみを結合する上記連結部材３および下部連結部材４として利用してもよい。また連結部材３，４は支柱１の長さに応じて上下部に限らず中間部にも設配すると有効である。そして支柱の下部連結部材４の下側には、支柱１を床面に対して微調整するための調節ネジ８が設けられている。なお図示を省略しているがこの調節ねじ８に代えてキャスターを設けてもよい。
【０００８】
図２は上記支柱１を使用してなる本発明の組み立て棚の基本型を示している。組み立て棚１０の基本型は、少なくとも４本の上記支柱１、１と、帯状のプレートでもって外周枠体１１が形成された複数の棚部材１２と、棚部材１２の固着用当て金２０および固着用ネジ３０とから構成されている。外周枠体１１の対向する帯状プレートの両側には図３および図５に示しているように、それぞれ上記支柱１を構成している２本のパイプ材２、２と嵌合する２個の半円状凹部１３、１３（角パイプ材の場合はコ字状凹部）が形成され、その凹部１３、１３間に透孔１４Ａまたはネジ孔１４Ｂが設けられた取り付け部１５を備え、当て金２０には図３に示すごとくこの棚部材１２の取り付け部１５と同形の２個の半円状凹部２１、２１（角パイプ材の場合はコ字状凹部）が形成され、その凹部２１、２１間に透孔２２またはネジ孔が設けられていて、支柱１の内側から棚部材１２の上記取り付け部１５を、そして外側から当て金２０を当接して両者によって支柱１を挟み込み、当て金２０側から固着用ネジ３０でもって締めつけて支柱１に棚部材１０を装着して組み立て棚１０となすものである。図４は支柱１に棚部材１２を装着固定した状態の断面図である。
【０００９】
本発明の組み立て棚１０に適用される棚部材１２としては、その外周枠体１１が上記した取り付け部１５を形成するに好都合な帯状プレートで形成されているものであればいかなるものでもよく、図５に示したような網棚タイプのもの、あるいは図６に示しているような籠タイプのものなどが挙げられる。
【００１０】
外周枠体１１はプラスチックで形成してもよいが、強度の点から鉄やステンレスあるいはアルミニウムなどの金属製帯状プレートを曲げ加工して形成するとよい。帯状プレートの厚さは２〜５ｍｍ、幅が１〜３ｃｍ程度のものが好ましく、図示しているように、形成した外周枠体１１上の前後および／または横方向に間隔をおいてワイヤー１６を張設固定して物品の支持面を形成するとよい。しかし棚部材１２の支持面の構造については特に限定を要するものではない。
【００１１】
上記のように本発明の支柱１は、平行する２本のパイプ２，２が結合された偏平な形状であるため、その両側に棚部材１２を装着することができる。即ち、図５に示しているように、棚部材１２の枠体１１の上記した２個の半円状凹部１３，１３間の一方に透孔１４Ａ、そして他方にネジ孔１４Ｂを設けてなる取り付け部１５，１５を備えた棚部材１２を使用し、図７および図８に示しているように、支柱１の両側からそれぞれの取り付け部１５，１５を対接して支柱１を挟み込み、透孔１４Ａ側から固着用ネジ３０でもって締めつけることによって、支柱１の両側に棚部材１２が装着された組み立て棚１０となすことができ、上記した基本形の組み立て棚１０の側方に２本の支柱を加えることによって基本型の支柱１の片側または両側に順次継ぎ足して棚面積を拡張することができる。図においては棚部材１２の取り付け部１５の一方に透孔１４Ａ、他方にネジ孔１４Ｂを設けた態様を示しているが、両方共に透孔１４Ａとなした場合にはボルトとナットからなる固着用ネジでもって棚部材１２を装着するとよい。
【００１２】
また本発明における棚部材１２の外周枠体１１が帯状プレートで形成されているため、図９に示しているように下部に外周枠体１１を挟持可能な舌片４４，４５を備えたコーナーガード４７をも立設して使用することができる。
【００１３】
またさらに、上記したように支柱１の側方に棚部材の継ぎ足しが可能なことから、組み立て棚１０の片側または両側に、図１０に示したように片側に取り付け部１５を備えた片持ちタイプの補助棚部材１２Ｂを上記と同様な要領で装着することもできる。
【００１４】
【実施例】
外径１２ｍｍ、長さ９０ｃｍの軟鋼製のパイプ材２本を使用し、図１に示しているように２本のパイプ材２，２をパイプ材２，２の中心から中心までを約２．５ｃｍ平行に間隔をあけて上端部と下端部において上部連結部材３および下部連結部材４でもって間隔をおいて平行に結合し、下部連結部材４の下部に床面に対して微調整するための調節ねじ８を設け、さらに棚部材の装着高さ位置を定めるために、２本のパイプ材２，２間の平行な空間に一定の間隔でもって透孔５，５が穿設された金属製のテープ部材６を眼鏡状の固定具７，７でもって張設固定するとともに、固定具７，７をパイプ材２，２に溶接固着して支柱１となし、この支柱１を６本準備した。なお本実施例においては上部および下部連結部材として固定具７，７が実質的に連結部材として作用しパイプ材２，２に溶接固定されて支柱１を構成している。
【００１５】
一方、厚さ３ｍｍ、幅１５ｍｍの軟鋼製帯状プレートでもって、奥行き寸法が４０ｃｍ、横幅寸法が６０ｃｍの方形の外周枠体１１を形成するとともに、図５に示しているように、奥行き方向に延びる枠体部分の両側に上記支柱１を構成している２本のパイプ材２，２と嵌合する２個の半円状凹部１３，１３を形成し、その一側の凹部１３，１３間に透孔１４Ａ、他側の凹部１３，１３間にネジ孔１４Ｂを設け、外周枠体１１の上面横方向に金属ワイヤー１６を間隔をおいて張設固定してなる網棚状の棚部材１２を３枚準備した。
【００１６】
また上記棚部材１２と同じ外周枠体１１に屈曲したワイヤー１６を縦横に間隔をおいて張設固定して、図６に示したような籠型の棚部材１２Ａを別個に準備した。
【００１７】
さらに付属品として図９に示したように、太いワイヤーで形成した三角形状の外周枠４１にネットを張設してなるサイドガード４０と、太いワイヤーで形成した横長方形の外周枠４２にネットを張設してなるバックガード４３とを作成し、それぞれの外周枠４１，４２の下辺に上記棚部材１２の外周枠体１１を挟持可能な舌片４４，４５を設けるとともに、両ガード４０，４３をリングジョイント４６でもって折り畳み自在に連結したコーナーガード４７を作成した。
【００１８】
またさらに、上記帯状プレートでもって奥行き寸法が４０ｃｍ、横幅寸法が３０ｃｍの縦長方形の外周枠体１１を形成するとともに、図１０に示しているように、奥行き方向に延びる枠体部分に上記支柱１を構成している２本のパイプ材２，２と嵌合する２個の半円状凹部１３，１３を形成し、その凹部１３，１３間に透孔１４Ａ，１４Ａを設けて取り付け部１５となし、枠体１１の上面横方向に金属ワイヤー１６を間隔をおいて張設固定して棚面となすとともに、外周枠体の３辺部にワイヤーで形成されたガード１７を立設固定した片持ちタイプの補助棚部材１２Ｂを形成した。
【００１９】
そして上記した支柱１を６本、網棚状の棚部材１２を３枚、籠型の棚部材１２Ａ、片持ちタイプの補助棚部材１２Ｂ、およびコーナーガード４７をそれぞれ１枚使用し、図３に示しているように棚部材の取り付け部１５と同形の２個の半円状凹部２１，２１が形成されてその凹部２１，２１間に透孔２２が設けられた棚部材の固着用当て金２０を６個と固着用ネジ３０を１２本加えて１セットとし、この１セットを用いて棚を組み立てた。完成した組み立て棚の例を図１１に示している。また本実施例では支柱１の長さを９０ｃｍのものを使用したが、１２０ｃｍ、１８０ｃｍのものを使用することにより棚を２段・３段に形成できることは勿論である。
【００２０】
組み立て要領や順序については特に限定されないが、例えば、図１１の左側の２本の支柱１，１の下方内側に棚部材１２の２個の半円状凹部１３，１３が形成された前後の取り付け部１５を嵌合当接するとともにその外側に当て金２０を対接し、パイプ材１，１間に張設されたテープ部材６の所望の透孔５を利用して当て金２０側から固着用ネジ３０でもって図４に示したように支柱１に棚部材１２の一側部を固定し、次いでその棚部材１２の他側の取り付け部１５を中間支柱１，１に嵌合当接させるとともに、その中間支柱１，１の外側から次の棚部材１２の取り付け部１５を嵌合当接させて相対向する取り付け部１５，１５を上記同様に固着用ネジ３０でもって図８に示したように中間支柱１，１に固定し、しかるのち棚部材１２の右側の前後の取り付け部１５の外側に支柱１，１を嵌合させるとともにその外側から当て金２０を嵌合当接させて同様に固着用ネジ３０でもって支柱１，１に棚部材１２を装着して下段の棚部を形成する。
【００２１】
続いて、左側の２本の支柱１，１の上方外側に補助棚部材１２Ｂの前後の取り付け部１５，１５を嵌合当接するとともにその内側に棚部材１２の取り付け部１５，１５を対接し、パイプ材１，１間に張設されたテープ部材６の所望の透孔５を利用して補助棚部材１２Ｂ側から固着用ネジ３０でもって支柱１に補助棚部材１２Ｂと棚部材１２の一側部を固定し、次いでその棚部材１２の他側の取り付け部１５を中間支柱１，１に嵌合当接させるとともにその中間支柱１，１の外側から籠タイプの棚部材１２Ａの取り付け部１５を嵌合当接させて相対向する取り付け部１５，１５を上記同様に固着用ネジ３０でもって中間支柱１，１に固定し、しかるのち籠タイプの棚部材１２Ａの右側の前後の取り付け部１５に支柱１，１を嵌合させるとともにその外側から当て金２０を嵌合当接させて同様に固着用ネジ３０でもって支柱１に棚部材１２Ａを装着して上段の棚部を形成し、棚部材１２の任意のコーナー部の外周枠体にコーナーガード４７を立設することによって図１１のような組み立て棚１０となした。
【００２２】
【発明の効果】
このように本発明における組み立て棚用の支柱１は、２本のパイプ材２，２が上端部と下端部において上部連結部材３および下部連結部材４でもって間隔をおいて平行に結合されてなるものであり、横断面が偏平にして左右対象であり、２本のパイプ材２，２間に棚部材の装着用の隙間を備えているから、この支柱１両側から挟み込むようにすることによって各種の棚部材を歪みやねじれ現象をなくして、ガタツクこともなく強固に装着することができるばかりでなく、左右方向への棚部材の増設を容易に行うことができ、さらに上記２本のパイプ材２，２間の縦方向に、定間隔をおいて多数の透孔５が穿設されたテープ部材６を張設固定しておくことによって、取り付ける棚部材の水平位置の設定が容易となり、また上記下部連結部材４の下部の高さ調節ねじ８を設けることによって、床面に対してガタツキのない組み立て棚を形成することができる。
【００２３】
また本発明の組み立て棚１０の基本型は、連結された２本のパイプ材２，２からなる支柱１，１と、方形の外周枠体１１が帯状のプレートでもって形成され、この外周枠体１１の奥行き方向に延びる帯状プレートの両側にそれぞれ上記支柱１を構成している２本のパイプ材２，２と嵌合する２個の凹部１３，１３が形成されてその凹部１３，１３間に透孔１４Ａまたはネジ孔１４Ｂが設けられた支柱１への取り付け部１５を備えた複数の棚部材１２と、棚部材１２の取り付け部１５と同形の２個の凹部２１，２１が形成されてその凹部２１，２１間に透孔またはネジ孔２２が設けられた棚部材の固着用当て金２０および固着用ネジ３０とからなるものであるから、分解形態が嵩張らずコンパクトに梱包でき、前記したようにネジ止めするだけで所望の位置に各棚部材１２を備えた棚を簡単に組み立てることができる。
【００２４】
そのうえ、上記したように外周枠体１１が帯状のプレートでもって形成され、その外周枠体１１の一側または両側に支柱１を構成している２本のパイプ材２，２と嵌合する２個の凹部１３，１３が形成されてその凹部１３，１３間に透孔またはネジ孔１４が設けられたパイプ材への取り付け部１５を備えた棚部材であれば、これらの棚部材を所望の位置に装架でき棚面積の拡張が可能であって、載置する商品に適応した棚を得ることができる。
【図面の簡単な説明】
【図１】本発明の組み立て棚用の支柱の一部破断斜視図である。
【図２】本発明の組み立て棚の基本型を例示した斜視図である。
【図３】支柱への棚部材の装着要領を示した一部省略斜視図である。
【図４】棚部材の装着固定部の一部省略断面図である。
【図５】網棚タイプの棚部材を例示した斜視図である。
【図６】籠型タイプの棚部材を例示した斜視図である。
【図７】支柱の両側への棚部材の装着要領を示した一部省略斜視図である。
【図８】棚部材の装着固定部の一部省略断面図である。
【図９】本発明の組み立て棚に適用するコーナーガードの斜視図である。
【図１０】片持ち型補助棚部材を例示した斜視図である。
【図１１】本発明の実施例によって得られた組み立て棚の斜視図である。
【符号の説明】
１．支柱
２．パイプ材
３．上部連結部材
４．下部連結部材
５．透孔
６．テープ部材
７．固定具
８．調整ネジ
１０．組み立て棚
１１．外周枠体
１２．棚部材
１２Ａ．籠タイプの棚部材
１２Ｂ．補助棚部材
１３．凹部
１４Ａ．透孔
１４Ｂ．ネジ孔
１５．取り付け部
２０．当て金
２１．凹部
２２．透孔またはネジ孔
４７．コーナーガード
【図１】
0003693395.tif 000002
【図２】
0003693395.tif 000003
【図３】
0003693395.tif 000004
【図４】
0003693395.tif 000005
【図５】
0003693395.tif 000006
【図６】
0003693395.tif 000007
【図７】
0003693395.tif 000008
【図８】
0003693395.tif 000009
【図９】
0003693395.tif 000010
【図１０】
0003693395.tif 000011
【図１１】
0003693395.tif 000012